(57)【要約】      （修正有）【課題】身体の患部にオゾンガスを吹き付けて傷を消毒、止血を行い、鎮痛を緩和させ、オゾンによる治療効果を極大化させ、治療時間の短縮及び治療費の節減を両立させることのできるオゾンガスを用いたオゾン治療器を提供する。【解決手段】酸素供給槽１と連設されたオゾン発生器２と、前記オゾン発生器２に接続されて患部にオゾンを供給する供給管３と、オゾン治療後の残留オゾンを回収する回収管４と、を備える通常のオゾン治療器５において、前記供給管３の端部に設けられ、患部に密着載置されるように接続配管される患部蓋板６と、オゾンガスが透過自在に患部に連接する耐オゾン性の使い捨てのガーゼ７と、前記患部蓋板６の外側にドーム状に形成されて、回収管４と連通配管されるフード８と、前記回収管４と連通して設けられ、オゾン分解装置９及び送風器１１が設けられた排気管１０と、を備えることを特徴とするオゾンガスを用いたオゾン治療器。【選択図】図３
0003130555.tif 000002
【実用新案登録請求の範囲】
【請求項１】
酸素を供給する酸素供給槽（１）と連設されたオゾン発生器２と、前記オゾン発生器２に接続されて患部にオゾンを供給する供給管（３）と、オゾン治療後の残留オゾンを回収する回収管（４）と、を備える通常のオゾン治療器（５）において、
前記供給管（３）の端部に設けられ、患部に密着載置されるように接続配管される患部蓋板（６）と、
前記患部蓋板（６）の載置される患部に設けられ、殺菌処理されると共に、オゾンガスが透過自在に患部に連接する耐オゾン性の使い捨てのガーゼ（７）と、
前記患部蓋板（６）の外側にドーム状に形成されて、回収管（４）と連通配管されるフード（８）と、
前記回収管（４）と連通して設けられ、オゾン分解装置（９）及び送風器（１１）が設けられた排気管（１０）と、を備えることを特徴とするオゾンガスを用いたオゾン治療器。
【考案の詳細な説明】
【技術分野】
【０００１】
本考案は、オゾンガスを用いたオゾン治療器に係り、さらに詳しくは、身体の患部にオゾンガスを直接的に吹き付けてオゾンの酸化作用による殺菌力を用いて傷を消毒、止血を行い、鎮痛を緩和させ、傷の種類と患者の身体部位とは無関係に、オゾンによる治療効果を極大化させることができ、オゾンによる治療を簡単に行うことができて使い勝手を良くし、治療時間の短縮及び治療費の節減を両立させることのできるオゾンガスを用いたオゾン治療器に関する。 
【背景技術】
【０００２】
通常、オゾンは、人体に呼吸器疾患などを発病させ、植物の成長を阻害するなどの有害な点はあるが、取り扱いに僅かな注意を払うだけで、オゾンならではの強い殺菌力により菌やウィルスなどによる水虫などの種々の皮膚病はもとより、外傷による各種の傷の消毒及び止血作用と鎮痛緩和効果を有することから、治療器として製作して広く用いられているのが現状である。
【０００３】
従来のオゾン治療器は、図１に示すように、手足などの患部が挿入可能な口部を有する封止体１０を有するが、封止体１０は、内外２重に構成し、内部封止体１０ｂに複数のオゾンガス貫通孔１０ｃを形成し、内部封止体１０ｂと外部封止体１０ａとの隙間を両分させて、一方の空間はオゾンガスが供給される供給流路１２に連通させ、且つ、他方の空間は治療後の残留オゾンガスが回収される回収流路１４に連通させ、前記オゾンガスの供給流路１２と回収流路１４はオゾンジェネレーター（通常構成のものであり、図示略）に接続し、封止体１０の口部はオゾンガスが外部に排出されることを防ぐためのバンド１８を設けて、封止状態においてオゾン治療を行うようにしているが、封止体１０にオゾンガスが過剰に供給されるとき、封止体１０の内部が押圧されてオゾンガスの漏れが頻繁に起こり、封止体１０と供給流路１２及び回収流路１４の閉サイクルにより患部と封止体１０の内部に湿気ができてオゾン治療の効果を阻害し、内部封止体１０ｂと外部封止体１０ａとの隙間にオゾンガスを充填する必要があるために治療に長時間がかかり、バンド１８により血行の改善を妨げて患部の再生を防ぐために、治療効果を鈍化させて傷を悪化させるという不都合があった。
【０００４】
このほかにも、種々のタイプのオゾン治療器が開発されているが、前記従来のオゾン治療器の諸問題点を完全に解決することができず、その構造が複雑であってユーザーの不都合を招き、治療器の製造コストを上げるなど種々の問題点があり、構造を簡素化させた治療器はオゾンの発生量が微々であって治療効果が極めて低く、使い捨ての治療器は使用の都度交換して用いるために治療費が高くなって非経済的であるという短所を有しているものであり、これらの問題点を一掃することのできるオゾン治療器の開発が至急望まれていた。
【考案の開示】
【考案が解決しようとする課題】
【０００５】
そこで、本考案は、上述の如き従来のオゾン治療器が持つ諸問題点を解消することのできる新規な構成のオゾン治療器を創案してなされたものであり、本考案は、オゾン発生器に接続された供給管の端部にオゾン発生器において生成されたオゾンガスを患部に直接的に吹き付けるように治療部位の形状とは無関係に密着載置され、変形自在な患部蓋板を設け、前記患部蓋板の下部に設けられ殺菌処理され、オゾンガスが透過自在な耐オゾン性の使い捨てのガーゼを患部に連接させ、患部蓋板の外側にはドーム状のフードを備えてフードの上部に治療後の残留オゾンガスを回収する回収管を設け、回収管の先端にはオゾン分解装置と、分解されたオゾンを排気可能に送風器を持つ排気管とを設けたものであり、本考案は、身体の患部を消毒、止血を行い、鎮痛を緩和させることにより、傷の種類と患者の身体部位の形状を問わずに適用可能であり、治療方法が簡単であり、治療にかかる時間を短縮させ、治療の使い勝手を良くしてオゾンによる治療効果を極大化させることができ、治療費を節減できるオゾンガスを用いたオゾン治療器を提供することにその目的がある。
【課題を解決するための手段】
【０００６】
上記の目的を達成するために、本考案の一実施形態によれば、酸素を供給する酸素供給槽１と連設されたオゾン発生器２と、前記オゾン発生器２に接続されて患部にオゾンを供給する供給管３と、オゾン治療後の残留オゾンを回収する回収管４と、を備える通常のオゾン治療器５において、前記供給管３の端部に設けられ、患部に密着載置されるように接続配管される患部蓋板６と、前記患部蓋板６の載置される患部に設けられ、殺菌処理されると共に、オゾンガスが透過自在に患部に連接する耐オゾン性の使い捨てのガーゼ７と、前記患部蓋板６の外側にドーム状に形成されて、回収管４と連通配管されるフード８と、前記回収管４と連通して設けられ、オゾン分解装置９及び送風器１１が設けられた排気管１０と、を備えることを特徴とするオゾンガスを用いたオゾン治療器が提供される。
【考案の効果】
【０００７】
本考案によるオゾン治療器１は、身体の患部にオゾンガスを直接的に吹き付けてオゾンの酸化作用による殺菌力を用いて傷を消毒、止血を行い、鎮痛を緩和させ、傷の種類と患者の身体部位を問わずにオゾンによる治療効果を極大化させることができ、オゾンによる治療を簡単に行うことができて使い勝手を良くし、治療時間の短縮及び治療費の節減を両立させ、オゾンによる治療効果を極大化させることのできるなど、その期待効果が多大なものである。
【考案を実施するための最良の形態】
【０００８】
図２は、本考案の好適な一実施形態を示す斜視図であり、図３は、本考案によるオゾン治療器の作用を示す断面構成図である。以下、これらの図面に基づき、本考案を詳細に説明する。但し、従来の技術の構成説明と本考案の構成説明と重複する符号があるが、これは別個の構成部材符号として用いられている。
【０００９】
本考案は、酸素を供給する酸素供給槽１と連設されたオゾン発生器２と、前記オゾン発生器２に接続されて患部にオゾンを供給する供給管３と、オゾン治療後の残留オゾンを回収する回収管４と、を備える通常のオゾン治療器５を構成するにあたり、前記オゾン発生器２に接続された供給管３の端部にはオゾン発生器２において生成されたオゾンガスを患部に直接的に吹き付けるように治療部位の形状を問わずに密着載置され、変形自在な患部蓋板６を固着させ、患部蓋板６の下部、すなわち、身体の患部には殺菌処理され、オゾンガスが透過自在な耐オゾン性の使い捨てのガーゼ７を連接させる。このとき、前記患部蓋板６としてはシリコン製のパッキンを用いることが好ましい。
【００１０】
前記患部蓋板６の外側にはドーム状のフード８を設けて、フード８の上部に治療後の残留オゾンガスを回収する回収管４を接続させ、前記回収管４の先端にはオゾン分解装置９を設け、オゾン分解装置９に連通している排気管１０には外部への排ガスのための送風器１１を設ける。
【００１１】
そして、前記回収管４の一側にオゾン供給管３を貫通させてフード８の内側の患部蓋板６に連設させ、回収管４の一部をジャバラ状のフレキシブル管により構成して患部が位置する身体の各部位に自由自在に回収管４を配設している。
【００１２】
このような構成を有する本考案のオゾン治療器５は、身体の各部に傷を蒙ったときにオゾン治療を行うことのできるものであり、先ず、オゾン治療を行いたい身体の患部に耐オゾン性の使い捨てのガーゼ７を連接させ、ガーゼ７の上部に患部蓋板６を載置させ、フード８が前記患部蓋板６の外側を取り囲むように患部の周りに載置させる。参考までに、前記フード８を患部の周りに載置するときには、外部の大気圧がフード８の内部に通気自在に載置され、通気空間がない場合に備えて、フード８には複数の通気孔を形成することができる。
【００１３】
さらに、酸素供給槽１と接続されたオゾン発生器２を働きかけてオゾンを供給管３を介して患部を密閉している患部蓋板６の内部に供給すると、耐オゾン性の使い捨てのガーゼ７を介してオゾンが患部に供給されて周知の如きオゾン治療が行われる。
【００１４】
オゾン治療中に患部蓋板６に一部漏れうるオゾンは、フード８の内部においてジャバラ式の回収管４を介してオゾン分解装置９において分解された後、送風器１１から排気管１０を介して排気が行われ、治療が完了すると、患部蓋板６の内部において患部治療に使用しきれずに残ったオゾンが酸素に切り替えられるまで酸素供給槽１から酸素が患部に供給され、残留オゾン及び漏れ出たオゾンは、上述の如きフード８及び回収管４、送風器１１が設けられた排気管１０を順次に経て排気され、送風器１１が稼動時にフード８と患部との通気空間を介して外部の大気圧が同時に作用することになる。
【図面の簡単な説明】
【００１５】
【図１】従来のオゾン治療器の一実施形態を示す断面図。
【図２】本考案の好適な一実施形態を示す斜視図。
【図３】本考案によるオゾン治療器の作用を示す断面構成図。
【図４】本考案によるオゾン治療器の作用を示す、図３におけるＡ方向からの断面構成図。
【符号の説明】
【００１６】
１    酸素供給槽
２    オゾン発生器
３    供給管
４    回収管
５    オゾン治療器
６    患部蓋板
７    ガーゼ
８    フード
９    オゾン分解装置
１０    排気管
１１    送風器
【図１】
0003130555.tif 000003
【図２】
0003130555.tif 000004
【図３】
0003130555.tif 000005
【図４】
0003130555.tif 000006